(57)【要約】【課題】  テレビ放送波を受信して再生する場合に、画像の表示形態に応じて、利用者に対し自然な音声出力がなされる、テレビ放送の視聴がしやすい携帯電話機を提供することを目的とする。【解決手段】  携帯電話機であって、テレビ放送信号を受信する受信手段と、表示部と、表示部の両側に配された２つのスピーカと、前記２つのスピーカが表示画像の左右に位置する場合、受信音声を前記２つのスピーカでステレオ再生し、前記２つのスピーカが表示画像の上下に位置する場合、受信音声を前記２つのスピーカでモノラル再生する音声出力手段とを備える。【選択図】  図３
2005136457.tif 000002
【特許請求の範囲】
【請求項１】
テレビ放送信号を受信する受信手段と、
前記テレビ放送信号中の映像を表示する表示部と、
前記表示部の両側に配された２つのスピーカと、
前記２つのスピーカが前記映像の左右に位置する場合、前記テレビ放送信号中の音声を前記２つのスピーカでステレオ再生し、前記２つのスピーカが前記映像の上下に位置する場合、前記音声を前記２つのスピーカでモノラル再生する音声出力手段と
を備えることを特徴とする携帯電話機。
【請求項２】
表示部の両側に２つのスピーカを配した携帯電話機においてテレビ番組を再生する再生方法であって、
テレビ放送信号を受信する受信ステップと、
前記表示部により前記テレビ放送信号中の映像を表示する表示ステップと、
前記２つのスピーカが前記映像の左右に位置する場合、前記テレビ放送信号中の音声を前記２つのスピーカでステレオ再生し、前記２つのスピーカが前記映像の上下に位置する場合、前記音声を前記２つのスピーカでモノラル再生する音声出力ステップと
を含むことを特徴とする再生方法。
【請求項３】
表示部の両側に２つのスピーカを配した携帯電話機に適用されるプログラムであって、
テレビ放送信号を受信する受信ステップと、
前記表示部により前記テレビ放送信号中の映像を表示する表示ステップと、
前記２つのスピーカが前記映像の左右に位置する場合、前記テレビ放送信号中の音声を前記２つのスピーカでステレオ再生し、前記２つのスピーカが前記映像の上下に位置する場合、前記音声を前記２つのスピーカでモノラル再生する音声出力ステップと
の各ステップをコンピュータに実行させるプログラム。
【発明の詳細な説明】
【技術分野】
【０００１】
本発明は、テレビ放送波を受信して再生する携帯電話機に関し、特に音声モードを切替える技術に関する。
【背景技術】
【０００２】
近年、携帯電話機の多機能化が進み、例えばデジタルテレビ放送波を受信、再生する機能を備える携帯電話機も開発されている。
【０００３】
携帯電話機が備える液晶ディスプレイ等画面の形状はほとんどが縦長であり、デジタルテレビ放送波で送信される画像の多くは横長の形状を有するので、携帯電話機の一部機種は、前記画像を９０度回転させて表示し、前記液晶ディスプレイの表示領域を有効利用するモードを備えている（非特許文献１参照）。
【０００４】
一方、音声に関しては、デジタルテレビ放送においてはステレオ放送されるものがほとんどであり、ステレオ音声を適切に再生するためには、携帯電話機にスピーカを２つ備える必要がある。
【０００５】
ステレオ効果を得るために２つのスピーカを適度に離して配置すること及び一方のスピーカを前記縦長画面の上端外側に通常配置される通話用のスピーカと兼用することを考慮し、携帯電話機において、縦長画面の長手方向の両端外側にそれぞれ１つのスピーカを配置することが考えられている。
【非特許文献１】日経エレクトロニクス  ２００３年８月１８日  日経ＢＰ社  Ｐ．９０−９５
【発明の開示】
【発明が解決しようとする課題】
【０００６】
しかしながら、前記携帯電話機は、テレビ放送受信時、上述のようには画像を９０度回転させずに画面に表示したい場合もあり、このような場合に受信した音声を単純にステレオ音声として出力すると、ステレオ音声の右音声が画像の上方から聞こえ、左音声が画像の下方から聞こえるといった利用者にとって不自然な音声出力がなされることとなる。
【０００７】
上記の問題に鑑み、本発明は、テレビ放送を受信して再生する場合に、画像の表示形態に応じて、利用者に対し自然な音声出力がなされる、テレビ放送の視聴がしやすい携帯電話機を提供することを目的とする。
【課題を解決するための手段】
【０００８】
上記課題を解決するために本発明は、携帯電話機であって、テレビ放送信号を受信する受信手段と、前記テレビ放送信号中の映像を表示する表示部と、前記表示部の両側に配された２つのスピーカと、前記２つのスピーカが前記映像の左右に位置する場合、前記テレビ放送信号中の音声を前記２つのスピーカでステレオ再生し、前記２つのスピーカが前記映像の上下に位置する場合、前記音声を前記２つのスピーカでモノラル再生する音声出力手段とを備える。
【発明の効果】
【０００９】
（１）本発明の携帯電話機は、上述の構成を備えることにより、利用者から見て、表示する映像の左右にスピーカが位置する場合に、音声をステレオ出力するので、前記利用者は音声のステレオ効果を享受することができ、また表示する映像の左右以外の方向である上下方向等にスピーカが位置する場合、前記スピーカの少なくとも一方に音声をモノラル出力するので、映像の上方向からステレオ音声に係る右側音声、下方向からステレオ音声に係る左側音声を聞くといった不自然さや、聞き取りにくさを感じることなく、音声を聞くことができる。
【００１０】
（２）本発明の再生方法は、表示部の両側に２つのスピーカを配した携帯電話機においてテレビ番組を再生する再生方法であって、テレビ放送信号を受信する受信ステップと、前記表示部により前記テレビ放送信号中の映像を表示する表示ステップと、前記２つのスピーカが前記映像の左右に位置する場合、前記テレビ放送信号中の音声を前記２つのスピーカでステレオ再生し、前記２つのスピーカが前記映像の上下に位置する場合、前記音声を前記２つのスピーカでモノラル再生する音声出力ステップとを含む。
【００１１】
この構成によれば、利用者から見て、表示する映像の左右にスピーカが位置する場合に、音声をステレオ出力するので、前記利用者は音声のステレオ効果を享受することができ、また表示する映像の左右以外の方向である上下方向等にスピーカが位置する場合、前記スピーカの少なくとも一方に音声をモノラル出力するので、映像の上方向からステレオ音声に係る右側音声、下方向からステレオ音声に係る左側音声を聞くといった不自然さや、聞き取りにくさを感じることなく、音声を聞くことができる。
【００１２】
（３）本発明のプログラムは、表示部の両側に２つのスピーカを配した携帯電話機に適用されるプログラムであって、テレビ放送信号を受信する受信ステップと、前記表示部により前記テレビ放送信号中の映像を表示する表示ステップと、前記２つのスピーカが前記映像の左右に位置する場合、前記テレビ放送信号中の音声を前記２つのスピーカでステレオ再生し、前記２つのスピーカが前記映像の上下に位置する場合、前記音声を前記２つのスピーカでモノラル再生する音声出力ステップとの各ステップをコンピュータに実行させる。
【００１３】
この構成によれば、利用者から見て、表示する映像の左右にスピーカが位置する場合に、音声をステレオ出力するので、前記利用者は音声のステレオ効果を享受することができ、また表示する映像の左右以外の方向である上下方向等にスピーカが位置する場合、前記スピーカの少なくとも一方に音声をモノラル出力するので、映像の上方向からステレオ音声に係る右側音声、下方向からステレオ音声に係る左側音声を聞くといった不自然さや、聞き取りにくさを感じることなく、音声を聞くことができる。
【発明を実施するための最良の形態】
【００１４】
本発明の最良の形態について、図を参照しながら説明する。
＜１．概要＞
図１は、本発明に係る携帯電話機１の概略を示す図である。
【００１５】
携帯電話機１は、電話としての通話を行う電話機能に加え、テレビ放送波を受信するテレビ機能を備える。
【００１６】
携帯電話機１の筐体は、表示部１２を備える第１筐体１０と、第１筐体１０に電気的に接続した第２筐体１１とから成る。
【００１７】
携帯電話機１は、スライド開閉式の構造を有し、図１（ａ）に示す第１筐体１０と第２筐体１１とが全体的に重なった状態である閉状態と、図１（ｂ）に示す第１筐体１０が第２筐体１１上を平行移動した開状態との２状態を取る。
【００１８】
図１（ａ）に示す第１筐体１０の一部であるスライド部２２には突状のレールが備わり、前記突状レールは、第２筐体１１に備わる溝２１と咬み合っており、溝２１に沿ってスライドする。
【００１９】
溝２１の一端には、検出スイッチ２３が備わり、携帯電話機１が前記閉状態の場合には、前記突状レールが検出スイッチ２３を押下する。
【００２０】
携帯電話機１は、検出スイッチ２３が押下されていない場合が、開状態であるとする。
【００２１】
携帯電話機１の利用者は、電話機能を使用する場合やテレビ放送を簡易視聴する場合には、電話機能の操作に必要なキー等により多様な操作が可能であり、また把持し易い前記開状態で携帯電話機１を利用する。
【００２２】
ここで、前記簡易視聴とは、テレビ放送を比較的短い時間視聴することであり、例えば、プロ野球中継における得点のチェック、数分間のニュースの視聴、現在放送中の番組をチェックするためのザッピング視聴等を指す。
【００２３】
また、前記利用者は、プロ野球中継を試合終了まで見る、或いはテレビドラマを視聴する等、長時間に渡りテレビを視聴する場合には、携帯電話機１を前記閉状態にして使用する。
【００２４】
図２は、携帯電話機１が、受信したテレビ放送を表示部１２に表示している様子を示す図である。
【００２５】
図２（ａ）は、前記閉状態の携帯電話機１がテレビ放送を受信し、表示部１２にテレビ映像を映す様子を示している。
【００２６】
図２（ｂ）は、前記開状態の携帯電話機１がテレビ放送を受信し、表示部１２にテレビ映像を映す様子を示している。
【００２７】
表示部１２は、前記開状態においては、表示すべき情報を、縦長画面として表示し、前記閉状態においては、表示すべき情報を、横長画面として表示する。
【００２８】
放送局からテレビ放送される映像は、アスペクト比が横長である映像であり、携帯電話機１は、図２（ａ）に示すように表示部１２一杯に映像を映すよう制御する。
【００２９】
横長の映像を前記開状態の携帯電話機１で映す場合には、図２（ｂ）に示すように、前記映像を、図２（ａ）で表示部１２に映されている状態から９０度回転、縮小し、表示部１２に映すこととなり、画面一杯に映像を映すことなく、画面の表示領域を有効利用できない。
【００３０】
また、前記利用者は、携帯電話機１を使用しない場合は、携帯電話機１を前記閉状態にしておく。
【００３１】
第１筐体１０は、表示部１２と、アンテナ１３と、左スピーカ１４と、右スピーカ１５と、イヤホンジャック１８と、テレビキー２０とを備える。
【００３２】
表示部１２は、受信しているテレビ放送や、電話機能による通話時に必要な情報等を表示する液晶ディスプレイ等である。
【００３３】
アンテナ１３は、テレビ放送波を受信するアンテナであり、電話機能による通話を行うための無線を送受信するアンテナは、筐体に内蔵されているものとする。
【００３４】
左スピーカ１４は、ステレオ音声の左音声や、モノラル音声の出力を行うためのスピーカである。
【００３５】
右スピーカ１５は、ステレオ音声の右音声の出力を行うためのスピーカである。
【００３６】
テレビキー２０は、当該携帯電話機１の利用者がテレビの視聴を行うために最低限必要なキーを集めたものであり、テレビ放送受信のオン、オフを切り替えるテレビ機能オンオフキー、受信チャネルを選択するためのチャネルアップダウンキー、テレビ音量の調整を行う音量アップダウンキー等から成る。
【００３７】
第２筐体１１は、マイク１６と、電話キー１７とを備える。
【００３８】
マイク１６は、通話時に、利用者が発する音声を集音する。
【００３９】
電話キー１７は、通話先の電話番号を入力するためのテンキーや、オンフックキー、オフフックキーなど通話を行うのに必要なキーから成り、前記テンキーは、テレビ機能がオンになっている場合にはテレビ放送受信時のチャネル番号の入力など、テレビの視聴を行うためのキーとしても使用される。
【００４０】
イヤホンジャック１８には、図１（ｂ）に示すようにイヤホン１９の接続が可能である。
【００４１】
イヤホンジャック１８は、イヤホンが接続された場合及び接続されたイヤホンが抜かれた場合を検出し、また、接続されたイヤホンが、ステレオ用であるかモノラル用であるかを前記イヤホンの接続端子の形状等により識別する。
＜２．構成＞
図３は、携帯電話機１の内部構成を示すブロック図である。
【００４２】
表示部１２は、信号処理部２６から入力される、赤色出力信号、緑色出力信号、青色出力信号と、水平、垂直の各同期信号とに基づき、映像表示を行う。
【００４３】
通信部２２は、アンテナ２１を介して、携帯電話機に関する基地局（図示せず）と、通話のための無線通信を行う。
【００４４】
通信部２２は、受信した信号を復調した結果である音声信号を、信号処理部２６に送信する。
【００４５】
テレビ放送受信部２３は、地上波デジタル放送チューナであり、チューナ、復調、誤り訂正、デスクランブル、多重信号分離、復号部、ＤＡコンバータ等から成る。
【００４６】
テレビ放送受信部２３は、アンテナ１３を介して、放送局（図示せず）が送信した放送波を受信し、受信した放送波から復号した画像フレーム情報、音声信号を信号処理部２６に出力する。
【００４７】
電話キー情報取得部２４は、前記利用者が電話キー１７を押下したことを検出し、押下されたキーに対応する電話キー情報を取得する。
【００４８】
信号処理部２６は、前記利用者が通話している場合、通信部２２から受信した音声信号を、増幅処理を施した後、左スピーカ１４に出力する。
【００４９】
また、信号処理部２６は、マイク１６が集音した入力音声を増幅処理し、通信部２２、アンテナ２１を介して、前記基地局に送信する。
【００５０】
信号処理部２６は、前記利用者がテレビ放送を視聴する場合、テレビ放送受信部２３から受信した映像信号を、前記映像信号を表示部１２に表示させる。
【００５１】
信号処理部２６は、制御部２５からの出力制御指示により、前記左音声信号と前記右音声信号とを、左スピーカ１４と右スピーカ１５とを用いて出力するか、又は前記左音声信号と、前記右音声信号とを合成してモノラル音声とし、左スピーカ１４に出力する。
【００５２】
信号処理部２６は、ＶＲＡＭ（Ｖｉｄｅｏ  Ｒａｎｄｏｍ  Ａｃｃｅｓｓ  Ｍｅｍｏｒｙ）とワークＲＡＭとを備える。
【００５３】
信号処理部２６は、テレビ放送受信部２３から画像フレーム情報を取得する。
【００５４】
前記画像フレーム情報は、例えば、ビットマップのように１枚の画像を符号化したものである。
【００５５】
信号処理部２６は、取得した画像フレーム情報を、ＶＲＡＭへ書き込む。
【００５６】
但し、信号処理部２６は、制御部２５から画像を９０度回転させるよう指示を受けている場合には、前記受信した画像フレーム情報が示す画像を９０度回転させた画像をワークＲＡＭを用いて生成し、前記回転させた画像フレーム情報を前記ＶＲＡＭに展開する。
【００５７】
信号処理部２６は、前記ＶＲＡＭ中の情報に対応する、赤出力信号、緑出力信号、青出力信号と、同期信号とを表示部１２に出力する。
【００５８】
開閉切替検出部２７は、検出スイッチ２３が押下されている場合に、携帯電話機１が前記閉状態であると判定し、押下されていない場合には携帯電話機１が前記開状態であると判定し、携帯電話機１のテレビ機能がオンされた場合と、携帯電話機１が前記閉状態から前記開状態に変わった場合と、前記開状態から前記閉状態に変わった場合とに、制御部２５に対し携帯電話機１が閉状態と開状態のいずれであるかを示す開閉情報を送信する。
【００５９】
また、開閉切替検出部２７は、携帯電話機１の電源がオンになった場合にも、携帯電話機１が開状態と閉状態のいずれであるかを検出し、検出結果を開閉情報として、制御部２５に対し出力する。
【００６０】
イヤホン検出部２８は、イヤホンジャック１８にイヤホンが接続された場合及び接続されたイヤホンが抜き取られた場合に、イヤホンが接続されているか否か、接続されている場合には当該イヤホンがステレオ音声用であるかアナログ音声用であるかを判定し、前記判定結果に基づきイヤホン無、ステレオ、アナログのいずれかを示すイヤホン情報を、制御部２５に出力する。
【００６１】
また、イヤホン検出部２８は、携帯電話機１の電源がオンになった場合にも、上述の通りイヤホンの接続有無、接続されたイヤホンの種類を判定し、判定結果をイヤホン情報として、制御部２５に対し送信する。
【００６２】
テレビキー情報取得部２９は、前記利用者によるテレビキー２０の押下を検出し押下されたキーに対応するテレビキー情報を取得する。
【００６３】
イヤホン出力部３０は、信号処理部２６から出力される音声信号を、イヤホンジャック１８に接続されたイヤホンに対し、出力する。
【００６４】
制御部２５は、開閉切替検出部２７から取得する開閉情報と、イヤホン検出部２８から取得するイヤホン情報とから、音声モード判定処理を行い、判定結果を出力制御情報として、信号処理部２６に出力する。
【００６５】
前記音声モード判定処理については、後述する。
【００６６】
制御部２５は、受信したテレビキー情報に基づき、テレビ放送受信部２３に対するチューニングの指示、信号処理部２６に対する音声出力のゲイン調整指示、テレビ放送に係る映像の出力指示等を行う。
【００６７】
制御部２５は、受信したキー情報に応じて、電話機能を動作させるため、通信部２２に対し無線通信を行うよう指示する。
【００６８】
制御部２５は、携帯電話機１の主電源がオンされた場合には、イヤホン情報、開閉情報を、初期値として取得しておく。
＜３．動作＞
制御部２５は、音声モード判定処理を、（ａ）テレビ機能がオフからオンに変更された場合、（ｂ）イヤホンの接続、抜き取りを検出した場合、（ｃ）携帯電話機１の開閉状態が変更された場合の３つの場合に行う。
【００６９】
図４は、音声モード判定処理の内容を示すフローチャートである。
【００７０】
制御部２５は、前記イヤホン情報がステレオ或いはモノラルを示すか否かを判定する（Ｓ４０１）。
【００７１】
制御部２５は、前記イヤホン情報がイヤホン無を示す場合（Ｓ４０１：ＮＯ）、Ｓ４０２に進む。
【００７２】
制御部２５は、前記イヤホン情報がステレオ或いはモノラルを示す場合（Ｓ４０１：ＹＥＳ）、左スピーカ１４及び右スピーカ１５への音声出力を停止するスピーカミュートを示す出力制御指示を信号処理部２６に送信し（Ｓ４０５）、前記イヤホン情報がステレオを示す場合（Ｓ４０６：ＹＥＳ）、イヤホンステレオ出力を示す出力制御指示を信号処理部２６に送信する（Ｓ４０７）。
【００７３】
前記イヤホン情報がモノラルを示す場合（Ｓ４０６：ＮＯ）、イヤホンモノラル出力を示す出力制御指示を信号処理部２６に対し送信する（Ｓ４０８）。
【００７４】
制御部２５は、前記開閉情報が開状態を示す場合（Ｓ４０２：ＹＥＳ）、信号処理部２６に対し左スピーカモノラル出力を示す出力制御指示を出力する（Ｓ４０４）。
【００７５】
前記開閉状態が閉状態を示す場合（Ｓ４０２：ＮＯ）、信号処理部２６に対し、両スピーカステレオ出力を示す出力制御指示を信号処理部２６に対し出力する（Ｓ４０３）。
【００７６】
なお、制御部２５は、電話機能がオンになった場合には、イヤホン情報がイヤホン無しを示すか否かを判定する。
イヤホン情報が、イヤホン無しを示す場合左スピーカ出力を示す出力制御情報を信号処理部２６に対し送信し、イヤホン情報がモノラル及びステレオを示す場合には、イヤホンモノラル出力を示す出力制御指示を信号処理部２６に対し送信する。
【００７７】
信号処理部２６は、制御部２５から受信した出力制御指示に従い、音声出力を行う。
＜４．変形例＞
なお、本発明を上記の実施の形態に基づいて説明してきたが、本発明は、上記の実施の形態に限定されないのはもちろんである。
以下のような場合も本発明に含まれる。
【００７８】
本発明について、スライド式で開閉する携帯電話機の例で説明してきたが、映像を所定の角度回転させるなどしてスピーカの位置と、映像の上下との対応関係が変化するように構成されてあれば、本発明の適用は可能である。
【００７９】
図５は、回転式構造を有する携帯電話機の概略を示す図である。
【００８０】
例えば、図５（ａ）及び（ｂ）に示す携帯電話機のように、第１筐体１０１が、第２筐体１０２に対して９０度回転する回転式の構造を有してもよい。
【００８１】
図５に示す携帯電話機においては、第１筐体１０１が回転したような図５（ａ）で示した状態が前記閉状態に相当し、左スピーカ１０４及び右スピーカ１０５が、ステレオ音声を出力する。
【００８２】
図５（ｂ）で示した状態は前記開状態に相当し、ステレオ音声をモノラル音声に変換した後、左スピーカ１０４又は右スピーカ１０５の少なくとも一方から前記モノラル信号を出力する。
【００８３】
また、水平及び垂直ジャイロセンサーにより、携帯電話機の姿勢を検出し、利用者から見て、２つのスピーカが表示部の左右に位置する場合と、表示部の上下に位置する場合とを検出する構成としてもよい。
【図面の簡単な説明】
【００８４】
【図１】本発明に係る携帯電話機１の概略を示す図である。
【図２】携帯電話機１が、テレビ放送を受信し、表示部１２に表示している様子を示す図である。
【図３】携帯電話機１の内部構成を示すブロック図である。
【図４】音声モード判定処理の内容を示すフローチャートである。
【図５】回転式構造を有する携帯電話機の概略を示す図である。
【符号の説明】
【００８５】
１  携帯電話機
１０  第１筐体
１１  第２筐体
１２  表示部
１４  左スピーカ
１５  右スピーカ
１７  電話キー
２０  テレビキー
２１  溝
２３  検出スイッチ
【図１】
2005136457.tif 000003
【図２】
2005136457.tif 000004
【図３】
2005136457.tif 000005
【図４】
2005136457.tif 000006
【図５】
2005136457.tif 000007